Podtech/llm-jp-corpus-v4-ja_patent huggingface dataset:
(57)【要約】【課題】  共通鍵が盗聴されたら、鍵を共有している他のユーザのコンテンツに対する安全性の脅威が発生する。【解決手段】  暗号鍵とユーザ対応の固有パラメータとの排他論理和処理より、ユーザ固有の分割鍵をえる。鍵管理サーバ１は、この分割鍵を各ユーザに配送する。各ユーザは、配送された分割鍵と自己の固有パラメータとで、暗号鍵を復元し、暗号処理をおこなう。【選択図】        図２
2007089100.tif 000002
【特許請求の範囲】
【請求項１】
暗号鍵と、ある固有パラメータとから、ある演算で分割鍵を生成し、ある演算に対応する演算で前記の分割鍵と前記の固有パラメータとから前記の暗号鍵を復元することを特徴とする暗号鍵の分配システム。
【請求項２】
前期固有パラメータを各クライアントに割り当て、鍵管理サーバは、暗号化コンテンツに対応づけられた暗号鍵及びクライアントに対応付けられた前記固有パラメータを管理し、暗号化コンテンツの暗号鍵の要求を行なったクライアントに対し、前記クライントの固有パラメータと、前記クライアントが要求した暗号化コンテンツの暗号鍵より前記の分割鍵を生成し、対応した分割鍵を前記クライアントに配送し、前記クライアントでは、自身の固有のパラメータと配送された前記分割鍵とから前記暗号化コンテンツの暗号鍵を復元することを特徴とする請求項１暗号鍵の分配システム。
【請求項３】
暗号鍵と前記の固有パラメータとの排他論理和処理により前記の分割鍵を得ることを特徴とする請求項１及び請求項２記載の暗号鍵の分配システム。
【発明の詳細な説明】
【発明の詳細な説明】
【技術分野】
【０００１】暗号鍵の分配システムに関する。
【背景技術】
【０００２】従来の暗号鍵の分配システムは、鍵そのものを分配している。
【発明が解決しようとする課題】
【０００３】共通鍵が盗聴されたら、鍵を共有している他のユーザのコンテンツに対する安全性の脅威となる。
【課題を解決するための手段】
【０００４】本発明による暗号鍵の分配システムでは、暗号鍵と、ある固有パラメータとから、ある演算で分割鍵を生成し、ある演算に対応する演算で前記の分割鍵と前記の固有パラメータとから前記の暗号鍵を復元し、前記の演算として排他論理和を用いる。
【０００５】また本発明による暗号鍵の分配システムでは、前期固有パラメータを各クライアントに割り当て、鍵管理サーバは、暗号化コンテンツに対応づけられた暗号鍵及びクライアントに対応付けられた前記固有パラメータを管理し、暗号化コンテンツの暗号鍵の要求を行なったクライアントに対し、前記クライントの固有パラメータと、前記クライアントが要求した暗号化コンテンツの暗号鍵より前記の分割鍵を生成し、対応した分割鍵を前記クライアントに配送し、前記クライアントでは、自身の固有のパラメータと配送された前記分割鍵とから前記暗号化コンテンツの暗号鍵を復元する。
【本発明の実施の形態】
【０００６】図面を参照しながら、本発明の実施例の説明をおこなう。図１は、システム構成を示す図で、ユーザ２、３、４、５との間で、暗号化されたコンテンツは転送されるが、暗号鍵は、鍵管理サーバ１が管理するという構成である。鍵管理サーバ１は、各ユーザのＩＤと固有パラメータとの対応を示す固有パラメータデータベース６を有している。
【０００７】図２は、暗号鍵と、各ユーザの固有パラメータと、管理サーバ１が各ユーザに分配する分割鍵との対応を示す表である。コンテンツの暗号鍵は（０１１１０１０１）と共通であるが、分割鍵は、固有パラメータと暗号鍵との排他論理和で与えられるので、各ユーザに配送される分割鍵は異なった値となっている。
【０００８】固有パラメータは一般ユーザには公開されないので、万一分割鍵が盗聴されたとしても、固有パラメータの異なるユーザでは暗号化コンテンツの復号はできない。
【０００９】図３は、暗号側ユーザ１０と復号側ユーザ２０との間の暗号処理を示す図である。両ユーザはそれぞれ、固有パラメータ１２、２２を内部値とし、排他論理和回路１３、暗号器１５及び排他論理和回路２３、暗号器２５を含む暗号ユニット１８及び暗号ユニット２８とを有している。
【００１０】暗号側ユーザ１０は、コンテンツを暗号化するのに、分割鍵の要求を鍵管理サーバ１に対し、自己のＩＤ（Ｘ）を添えて行う。鍵管理サーバ１は、この要求に対し、鍵ＩＤ（００１）と暗号鍵（０１１１０１０１）を割り当て、暗号側ユーザ１のＩＤより、固有パラメータデータベース６にアクセスし固有パラメータ（００１００１０１）を導き、暗号鍵との排他論理和演算により分割鍵（０１０１１０００）を生成する。
【００１１】鍵管理サーバ１は、得られた分割鍵、この場合分割鍵１１を暗号側ユーザ１０に配送する。暗号ユニット１８では、排他論理和解路１３の処理により、内部的に（０１１１０１０１）の暗号鍵１４が生成される。さらに、暗号器１５において平文１６が暗号化され暗号化コンテンツ１７となって、鍵ＩＤ（００１）が添付された形態で、他のユーザに転送される。
【００１２】復号側ユーザ２０では、鍵ＩＤ（００１）に自己のＩＤ（Ｚ）を添えて、分割鍵の要求を鍵管理サーバ１に対し行なう。鍵管理サーバ１では、このユーザの固有パラメータ（１１００１１０１）に対し、暗号鍵との排他論理和処理をおこない、（１０１１１０００）の分割鍵を生成する。
【００１３】復号側ユーザ２０では、この分割鍵２１を暗号ユニット２８に入力し、排他論理和回路２３の処理により、内部的に（０１１１０１０１）の暗号鍵２４が生成される。さらに、暗号器２５において受信された暗号化コンテンツ２７が平文２６に復号される。なお、鍵管理サーバ１から各ユーザへの分割鍵の配送に、公開鍵方式を用いることにより更に高い安全性が得られる。
【００１４】本実施例では、暗号鍵と固有パラメータを得るロジックとして排他論理和を採用しているが、鍵管理サーバ１が配送する分散鍵を、暗号鍵と固有パラメータとの乗算値とし、ユーザ側で、配送された分散鍵を固有パラメータで除算する構成にしても、各ユーザで内部的に得られる暗号鍵は共通になる。また、乗算・除算の代わりに、加算・減算を用いてもよい。このように、本発明は、暗号鍵と固有パラメータとの演算ロジックを限定するものではない。
【発明の効果】
【００１５】本発明によれば、固有パラメータ１２，２２を暗号ユニット１８，２８の内部的なパラメータとし、ユーザに開放しないことにより、あるユーザで分割鍵が盗難に合ったとしても、他のユーザには使用できない、暗号鍵の配送システムを提供することができる。
【図面の簡単な説明】
【００１６】
【図１】本発明の実施例の構成を示す図である。
【図２】本実施例における鍵管理サーバの管理内容を示す図である。
【図３】本実施例における暗号化システムの構成示す図である。
【符号の説明】
【００１７】１  鍵管理ユーザ
２、３、４、５  ユーザ
６  固有パラメータデータベース
１１、２１  分割鍵
１２，２２  固有パラメータ
１３，２３  排他論理和回路
１４、２４  暗号鍵
１５、２５  暗号器
１６、２６  平文
１７，２７  暗号化コンテンツ
１８，２８  暗号ユニット
【図１】
2007089100.tif 000003
【図２】
2007089100.tif 000004
【図３】
2007089100.tif 000005
(57)【要約】【課題】  ユーザは、鍵管理サーバのＩＰアドレス、パスワードを管理する必要がある上に、手動によりログインするのでアクセスが可能となるまでの時間が長くなる。【解決手段】  鍵ファイル制御モジュール２が、自動的に鍵ファイル３内の鍵管理サーバネームを読み出し、ＤＮＳプロトコル処理モジュール６を起動させ、アドレスの解決を行なう。また、鍵ファウル３内の認証コードを用いて、パスワードを使用することなく認証を受ける。【選択図】        図１
2007089103.tif 000002
【特許請求の範囲】
【請求項１】
クライアントに配布される鍵情報を含む鍵ファイルは、前記鍵ファイルが属するか鍵管理サーバのホストネームを含むことを特徴とする鍵管理サーバアクセス方式。
【請求項２】
前記クライントは、前記の鍵ファイルの制御を行う鍵ファイル制御モジュールを有し、前記の鍵ファイル制御モジュールは、鍵管理サーバのアドレス探索に際し、前記ホストネームを用いてＤＮＳ（Ｄｏｍａｉｎ  Ｎａｍｅ  Ｓｙｓｔｅｍ）プロトコルによる探索処理を実施することを特徴とする請求項１記載の鍵管理サーバアクセス方式。
【請求項３】
前記鍵ファイルは固有の認証コードと認証手続き用の暗号鍵を有し、自身が属する鍵管理サーバに、前記認証コードを認証手続き用の鍵を用いて暗号化し、認証手続きを行なうことを特徴とする請求項２に記載の鍵管理サーバアクセス方式
【請求項４】
前記の認証手続き用の暗号鍵として、前記の管理サーバの公開鍵を用いることを特徴とする請求項３鍵管理サーバアクセス方式。
【発明の詳細な説明】
【発明の詳細な説明】
【技術分野】
【０００１】鍵管理サーバへのアクセス方式に関する。
【背景技術】
【０００２】鍵管理サーバをアクセスするのに、ユーザは、自己の有する鍵に関する説明書等にもとづき、鍵管理サーバのＩＰアドレス等を入力し、パスワードによる認証を受けたあと、暗号化鍵に関するサービスを受けている。
【発明が解決しようとする課題】
【０００３】ユーザは、鍵管理サーバのＩＰアドレス、パスワードを管理する必要がある上に、手動によりログインするのでアクセスが可能となるまでの時間が長くなるという課題を有する。
【課題を解決するための手段】
【０００４】本発明による鍵管理サーバアクセス方式では、クライアントに配布される鍵情報を含む鍵ファイルは、前記鍵ファイルが属するか鍵管理サーバのホストネームを有する
【０００５】また、本発明による鍵管理サーバアクセス方式では、前記クライントは、前記の鍵ファイルの制御を行う鍵ファイル制御モジュールを有し、前記の鍵ファイル制御モジュールは、鍵管理サーバのアドレス探索に際し、前記ホストネームを用いてＤＮＳ（Ｄｏｍａｉｎ  Ｎａｍｅ  Ｓｙｓｔｅｍ）プロトコルによる探索処理を実施する
【０００６】更に本発明による鍵管理サーバアクセス方式では、前記鍵ファイルは固有の認証コードと認証手続き用の暗号鍵を有し、自身が属する鍵管理サーバに、前記認証コードを認証手続き用の鍵を用いて暗号化し、認証手続きを行ない、前記の認証手続き用の暗号鍵として、前記の管理サーバの公開鍵を用いる。
【本発明の実施の形態】
【０００７】図１を用いて本発明の実施例を説明する。クライアント１は、ＤＮＳ（Ｄｏｍａｉｎ  Ｎａｍｅ  Ｓｙｓｔｅｍ）プロトコル処理モジュール６を有する鍵ファイル制御モジュール２と鍵ファイル３を有し、公知のＤＮＳ機能を有するネットワーク４を介し、認証コードデータベース７を有する鍵管理サーバ５にアクセスする。以下のステップにより本発明は実施される。
【０００８】ステップ１：鍵ファイル制御モジュール２は、ユーザ操作に基づき起動し、鍵ファイル３内の鍵管理サーバのネームを読み出し、ＤＮＳプロトコル処理モジュール６によりネットワーク４内のＤＮＳ機能部にアクセスする。
【０００９】ステップ２：ＤＮＳ機能により、鍵ファイルモジュール２は、鍵管理サーバ５のＩＰアドレスを知り、アクセスを開始する。
【００１０】ステップ３：鍵ファイル制御モジュール２は、鍵管理サーバ５の公開鍵を用いて認証コードを暗号化して、鍵管理サーバ５に転送する。
【００１１】鍵管理サーバ５は、暗号化された認証コードを自分の秘密鍵で復号し、認証コードデータベース７にアクセスし、認証後、クライアント１に対し鍵ファイル３のその他の鍵情報に関する処理を開始する。
【００１２】なお、鍵ファイル３や鍵ファイル制御モジュール２は、クライアント１の端末本体にある必要はなく、ＵＳＢやメモリカードなどの携帯メディアに搭載しても良い。
【発明の効果】
【００１３】本発明によれば、鍵管理サーバの名前解決にＤＮＳプロトコルを利用することができるので、新たに鍵管理サーバの探索プロトコルを実装する必要がない。
【００１４】また、パスワード無しで認証できるので、高速にログインが可能となる。パスワード忘れなどパスワードに関わる不便さを回避できる。
【図面の簡単な説明】
【００１５】
【図１】本発明の実施例を示す図である。
【符号の説明】
【００１６】１  クライアント
２  鍵ファイル管理サーバ
３  鍵ファイル
４  ネットワーク
５  鍵管理サーバ
６  ＤＮＳプロトコル処理モジュール
７  認証コードデータベース
【図１】
2007089103.tif 000003
(57)【要約】【課題】  ネットワークレイヤ以下のヘッダ情報で、ユーザグループを特定しているので、アクセス方式の異なるネットワークには適用できないという課題がある。また、中継途中に、インタネットのようなオープンなネットワークがあった場合、セキュリティが保証されないという課題がある。【解決手段】  認証サーバ１は、サービスあるいはグループに対するアクセス認証を受けたユーザに対し、ＣＵＧ（閉域ユーザグループ）データベース２内のＣＵＧに対応付けられた暗号鍵あるいは暗号鍵対を割り当てる。【選択図】        図１
2007089102.tif 000002
【特許請求の範囲】
【請求項１】
認証サーバは、サービスあるいはグループに対するアクセス認証を受けたクライアントに対し、前記のサービスあるいはグループに対応付けられた暗号鍵あるいは暗号鍵対を割り当てることを特徴とする暗号化閉域ユーザグループシステム。
【請求項２】
暗号方式として、ベクトル値を暗号処理パラメータとするベクトル型暗号アルゴリズムを採用し、認証サーバは、サービスあるいはグループに対するアクセス認証を受けたクライアントに対し、前記のサービスあるいはグループに対応付けられたベクトル値を割り当てることを特徴とする暗号化閉域ユーザグループシステム。
【請求項３】
前記の認証サーバは、認証をうけたクライアントに対し、前記のサービスあるいはグループに対応付けられた認証コードを割り当てることを特徴とする請求項１及び請求項２記載の暗号化閉域ユーザグループシステム。
【発明の詳細な説明】
【発明の詳細な説明】
【技術分野】
【０００１】暗号化技術を用いた閉域ユーザグループに関する。
【背景技術】
【０００２】閉域ユーザグループは、ＶＬＡＮタグやＭＰＬＳラベルなど、パケットヘッダの識別子を用いて実現されている。
【発明が解決しようとする課題】
【０００３】ネットワークレイヤ以下のヘッダ情報で、ユーザグループを特定しているので、アクセス方式の異なるネットワークには適用できないという課題がある。
【０００４】中継途中に、インタネットのようなオープンなネットワークがあった場合、セキュリティが保証されないという課題がある。
【課題を解決するための手段】
【０００５】本発明による暗号化閉域ユーザグループシステムでは、認証サーバは、サービスあるいはグループに対するアクセス認証を受けたクライアントに対し、前記のサービスあるいはグループに対応付けられた暗号鍵あるいは暗号鍵対を割り当てる。
【０００６】また、本発明による暗号化閉域ユーザグループシステムでは、暗号方式として、ベクトル値を暗号処理パラメータとするベクトル型暗号アルゴリズムを採用し、認証サーバは、サービスあるいはグループに対するアクセス認証を受けたクライアントに対し、前記のサービスあるいはグループに対応付けられたベクトル値を割り当てる。
【０００７】さらにまた、本発明による暗号化閉域ユーザグループシステムでは、前記の認証サーバは、認証をうけたクライアントに対し、前記のサービスあるいはグループに対応付けられた認証コードを割り当てる。
【本発明の実施の形態】
【０００８】図１及び図２を用いて本発明の実施例を説明する。本実施例は、ＣＵＧデータベース２を有する認証サーバ１と、認証を受けるユーザ３，４，５，６とから構成される。
【０００９】ＧＲＰ２のＣＵＧ（閉域ユーザグループ）に加入したいユーザからのアクセスに対し、認証サーバ１は、ＣＵＧデータベース２を参照し、ＧＲＰ２の列のメンバの欄に、ユーザ２が登録されているかチェックする。
【００１０】登録されている場合は、ユーザ３の公開鍵を用いて、暗号鍵ＫＥＹＢを暗号化し配送する。ユーザ３は、自己の秘密鍵を用いて復号し、暗号鍵ＫＥＹＢを得る。
【００１１】図２において、認証済みのユーザでは、認証サーバ１から得た暗号鍵を擬似乱数発生回路１１に入力し、得られたストリーム鍵と送信平文とを排他論理和器１２に供給し、暗号文を得る。復号は、これと逆のプロセスを得て行なわれる。
【００１２】このようにして、暗号鍵をメンバ間で共有することによりＣＵＧが構成される。なお、本発明は、共有鍵に限定されるものではなく、認証サーバ１は、公開鍵と秘密鍵のセットを配送してもよい。
【００１３】図２に示すように初期ベクトル値をパラメータとする暗号方式を採用している場合は、点線で示すように、認証サーバから初期ベクトル値の配布を受ける構成にしてもよい。この場合、ＣＵＧデータベース２は、図３に示すように、初期ベクトル値が記録されている。
【００１４】この場合、ユーザ３，４，５，６にはあらかじめ共通の暗号鍵を配布しておき、認証サーバ１は、ＣＵＧへのログインに対応して、ＶＥＣＴＯＲＡ，ＶＥＣＴＯＲＢ，ＶＥＣＴＯＲＣなどの初期ベクトル値を割り当てることになる。
【００１５】図４（ａ）、（ｂ）は、暗号化認証コードを付加した転送ファイルあるいは信号フレームを示す。復号された認証コードが、ＣＵＧ番号と一致して入れば、ＣＵＧメンバから送信ファイルあるいは送信信号であることを認識する。
【発明の効果】
【００１６】本発明によれば、暗号処理によりＣＵＧが識別されており、ネットワークのアクセス方式に依存しないＣＵＧサービスが提供できる。
【００１７】また、ネットワークがインタネットであっても、高いセキュリティの通信あるいはファイル転送を可能とする。
【００１８】また、初期ベクトル値を用いる暗号システムでは、鍵の代わりに初期ベクトル値によりＣＵＧ識別が可能となるので、暗号鍵の消費を避けることができる。
【００１９】さらに、認証コードにより、成りすましを防止することができる。
【図面の簡単な説明】
【００２０】
【図１】本発明の実施例を示す図である。
【図２】本実施例に用いる暗号器の構成を示す。
【図３】ＣＵＧデータベースの別の例を示す。
【図４】認証コードの使用例を示す。
【符号の説明】
【００２１】１  認証サーバ
２  ＣＵＧデータベース
３、４、５、６  ユーザ
１１  擬似乱数発生器
１２  排他論理和器
【図１】
2007089102.tif 000003
【図２】
2007089102.tif 000004
【図３】
2007089102.tif 000005
【図４】
2007089102.tif 000006
(57)【要約】【課題】  暗号通信中、暗号鍵は変化しないので暗号を解読される確率が高い。また、複数のユーザグループを設定する場合、グループ毎に鍵が必要であり、鍵の所要数量が増大する。【解決手段】  ベクトルバイアス値１２２、２２２をファイル毎に変化させ、ベクトルバイアス値１２１、２２１をユーザグループ毎に異なる値を付与する。これにより、暗号鍵が変化しなくても、ストリーム鍵が変化する。【選択図】        図１
2007089101.tif 000002
【特許請求の範囲】
【請求項１】
一つあるいは複数の初期ベクトル値及び暗号鍵より一意に定まる符号列を発生させ、前記の符号列を用いて暗号処理を行なう暗号処理装置を含み、ユーザあるいはシステム運用者のポリシーに基づき初期ベクトル値を変化させることを特徴とするベクトル型暗号化制御方式。
【請求項２】
前記の一つあるいは複数の初期ベクトル値の内の少なくも一つを、暗号化ファイル毎に変化させることを特徴とする請求項１記載のベクトル型暗号化制御方式。
【請求項３】
前記の一つあるいは複数の初期ベクトル値の内の少なくも一つを、暗号通信を行なうユーザグループ対応に付与することを特徴とする請求項１記載のベクトル型暗号化制御方式。
【請求項４】
前記の初期ベクトル値を暗号化して転送することを特徴とする請求項１から請求項３までに記載のベクトル型暗号化制御方式。
【発明の詳細な説明】
【発明の詳細な説明】
【技術分野】
【０００１】ベクトル型暗号化システムにおける制御方式に関する。
【背景技術】
【０００２】  詳しい動作説明は、実施の様態の欄で説明するが、ベクトル型暗号方式では、図１に示すように、ストリーム鍵１６を用いて暗号化を行なっている。
【発明が解決しようとする課題】
【０００３】共通鍵が変化しない限りストリーム鍵は変化しないので、暗号を解読される確率が高い。また、ユーザ間で、複数のユーザグループを設定するにはグループ対応に複数の鍵を用いる必要がある。
【０００４】本発明は、暗号化ファイル毎にストリーム鍵を変化させる手段及びユーザグループが異なっても同じ鍵で対応可能なベクトル型暗号化制御方式を提供することを目的とする。
【課題を解決するための手段】
【０００５】本発明によるベクトル型暗号化制御方式では、一つあるいは複数の初期ベクトル値及び暗号鍵より一意に定まる符号列を発生させ、前記の符号列を用いて暗号処理を行なう暗号化処理装置を含み、暗号側ユーザあるいはシステム運用者のポリシーに基づき初期ベクトル値を変化させる。
【０００６】また、本発明によるベクトル型暗号化制御方式では、前記の一つあるいは複数の初期ベクトル値の内の少なくも一つを、暗号化ファイル毎に変化させる。
【０００７】また、本発明によるベクトル型暗号化制御方式では、前記の一つあるいは複数の初期ベクトル値の内の少なくも一つを、暗号化通信を行なうユーザグループ対応に付与する。
【本発明の実施の形態】
【０００８】本発明の第１の実施例を図１、図２を用いて説明する。図１において、暗号側ユーザ１と復号側ユーザ２とはネットワーク３により接続され、共通鍵１１と共通鍵１２とは、同じ値で共有されている。
【０００９】暗号側ユーザ１においては、擬似乱数発生器１５には、共通鍵１１と２つの初期ベクトル値１４１、１４２とが入力され擬似乱数となるストリーム鍵１６が出力される。
【００１０】初期ベクトル値１４１、１４２はそれぞれ変換器１３を介しベクトルバイアス値１２１、１２２とから与えられる。
【００１１】排他論理和回路１８は、ストリーム鍵１６と平原文１７とを入力し、暗号化コンテンツ１９を生成する。生成された暗号化コンテンツ１９はネットワーク３を介し、復号側ユーザ２に転送される。
【００１２】復号側ユーザ２では、変換器２３には、ネットワーク２を介しベクトルバイアス値１２２が転送されたベクトルバイアス値２２２と、ベクトルバイアス値１２１と同じ値のベクトルバイアス値２２１とが入力され、それぞれ、初期ベクトル２４１、２４２となって、擬似乱数発生器２５に供給される。
【００１３】擬似乱数発生器２５は、共通鍵２１を入力し、ストリーム鍵１６と同じ値のストリーム鍵２６を出力すし、排他論理和回路２８は、ストリーム鍵２６と受信された暗号化コンテンツ２９を入力し、復元平文２７を出力する。
【００１４】図２に、ベクトルバイアス値２２２の転送フォーマットを示す。図２（ａ）において、復号側ユーザ＃Ａ、＃Ｂ、＃Ｎの公開鍵で、共通鍵が暗号化され、ベクトルバイアス値のフィールドを用いて、ベクトルバイアス値を転送する。
【００１５】このベクトルバイアス値フィールドを用いて、ベクトルバイアス値１２２がベクトルバイアス値２２２へと転送される。
【００１６】この値は、暗号側ユーザ１のポリシーに従い、暗号化コンテンツ毎に変化させることができ、これにより、ストリーム鍵１６、２６は、転送コンテンツ毎に、変化させることができ、より解読が難しい暗号システムを実現することができる。
【００１７】図２（ｂ）は、ベクトルバイアス値もそれぞれのユーザの公開鍵で暗号化され転送する場合のファイルの構造を示す。
【００１８】次に、ユーザグループ向けの通信について説明する。ベクトルバイアス値１２１、２２１に、ユーザグループ対応して異なる値を与えるとすると、異なるユーザグループのユーザ間では、共通鍵が同じ値であったとしても、暗号化通信はできない。
【００１９】このベクトルバイアス値は、ユーザが手動で設定してもよいし、ネットワークを介して設定してもよく、ユーザあるいはシステム管理者のポリシーに従って設定される。
【００２０】本発明の第２の実施例を図３に示す。暗号化処理装置３０がベクトル型の暗号方式を採用していない場合の実施例である。
【００２１】この場合、第１の実施例でストリーム鍵１６を発生させたのと同じ機能を有する回路を新たに加え、得られた符号列を鍵として、暗号化装置３０に供給する。
【発明の効果】
【００２２】本発明によれば、暗号化ファイル毎にストリーム鍵を変化させることができ、安全性の高い暗号システムを提供することができる。
【００２３】また、本発明によれば、同じ暗号化鍵を用いて、互いに暗号化通信ができない閉域ユーザグループを実現することができ、管理すべき暗号化鍵の数を少なくすることができる。
【００２４】更に、本発明によれば、暗号化処理装置が、ベクトル型の暗号化方式を採用していなくても、回路の外付けにより、上記の効果を提供することができる。
【図面の簡単な説明】
【００２５】
【図１】  本発明のシステムを示す図である。
【図２】  本発明に用いるファイル構造を示す図である。
【図３】  ベクトル型暗号化方式を採用していないユーザ内システムを示す図である。
【符号の説明】
【００２６】１  暗号側ユーザ
２  復号側ユーザ
３  ネットワーク
１１、２１  共通鍵
１２１、１２２、２２１、２２２  ベクトルバイアス値
１３、２３  変換器
１４１、２４１、２４１、２４２  初期ベクトル値
１５、２５  擬似乱数発生器
１６、２６  ストリーム鍵
１７、２７  平文
１８、２８  排他論理和回路
１９、２９  暗号化コンテンツ
【図１】
2007089101.tif 000003
【図２】
2007089101.tif 000004
【図３】
2007089101.tif 000005
(57)【要約】【課題】  ストラップの機能を備えたイヤホーンを提供する。【解決手段】  イヤホーンコード（５）の中間に、分離できる任意の形の結束部品（３及び４）を取り付け、結束部品（３及び４）を繋いだ時は、イヤホーンコードがストラップ機能を持ち、結束部品を解除すれば、イヤホーンコード（５）自体の長さで使えることを特徴とするイヤホーンである。【選択図】  図１
2007089104.tif 000002
【特許請求の範囲】
【請求項１】
コードの一部をループ状に結束する部品を付けたイヤホーン。
【発明の詳細な説明】
【技術分野】
【０００１】  本発明は、コードの長さを確保しながらも、ストラップと一体化させたイヤホーンに関するものである。
【背景技術】
【０００２】  メモリータイプの携帯用オーディオプレイヤーは、ストラップを付けることが常態化している。
【発明の開示】
【発明が解決しようとする課題】
【０００３】  そのため、収納時にイヤホーンとストラップが絡み合い、使用時には必ず、これを解きほどかなければならない不便さがある。これを避けるために、短いコードのイヤホーンを取り付けると、鞄に入れたり、机に置いたりして使用できない。本発明は、これらの問題点を解決するためになされたものである。
【課題を解決するための手段】
【０００４】  コードの一部をストラップとして利用するための結束部品を取り付けたイヤホーンである。
【発明の効果】
【０００５】  ▲１▼ストラップが無用になるため、イヤホーンとストラップの絡み合いが無くなる。
▲２▼結束を解除すれば、長尺のコードになる。
【発明を実施するための最良の形態】
【０００６】  以下、本発明の実施の形態について説明する。
イヤホーンコード（５）の中間に、分離できる任意の形の結束部品（３及び４）を取り付ける。
イヤホーンコード（５）を首に掛けて使用する時は、結束部品（３及び４）を繋ぎ、イヤホーンコード（５）を長く使いたい時は、結束部品（３及び４）を解除する。
【図面の簡単な説明】
【０００７】
【図１】  本発明の斜視図
【図２】  本発明を首に掛けて使用する時の図
【符号の説明】
【０００７】１  オーディオプレイヤー
２  イヤホーンジャック
３  結束部品Ａ
４  結束部品Ｂ
５  イヤホーンコード
６  イヤホーンＬ
７  イヤホーンＲ
【図１】
2007089104.tif 000003
【図２】
2007089104.tif 000004
(57)【要約】【課題】ペットボトルやスチール缶つなげて、ペットボトルに付加価値を持たせることが出来ないか考案。【解決手段】２つのペットボトルやスチール缶をジョイントすることにより、その特性を生かしつつ別の商品としての価値を生み出すことの出来るジョイント具である。ペットボトルやスチール缶との口の広さの違いに対応できる様、本発明品の両サイドに２つの大きさのねじ込み口を設けることにより、両方の口を持つペットボトルやスチール缶に対応できるように工夫されたジョイント具である。【選択図】  図１
2007089436.tif 000002
【特許請求の範囲】
【請求項１】
口の大きさの違うペットボトル又はスチール缶をジョイントすることの出来るジョイント具 
【発明の詳細な説明】
【技術分野】
【０００１】
本発明は、ペットボトル又はスチール缶をジョイントすることが出来、ペットボトル・スチール缶単体のみでは成しえないものを作ることを補助するためのジョイント具
【背景技術】
【０００２】
プランターの花にペットボトルより直接水遣りをしていて、このペットボトルを活用してもっと便利に水遣りが出来ないか考案。
【０００３】
直接ペットボトルより水を与えると、あまりの水の多さに根元の土が流れる、もしくは小さい芽の状態のものは土と一緒に掘り返されてしまう。
【０００４】
専用の製品を購入すれば済む問題ですが、このペットボトルを活用して出来ないかと思い発案。
【０００５】
ペットボトルの口にスチール缶を取り付け、穴をあけることによりジョウロが出来ることを発見してこのジョイント具の必要性を感じる。
【発明の開示】
【発明が解決しようとする課題】
【０００６】
使用後は捨てられるペットボトルを活用できないか考案。
【０００７】
１つではペットボトルだけの意味しかないが、２つ合わせることにより工夫次第で他の意味を持つ製品が出来ることを発見。
【０００８】
２つのペットボトルやスチール缶の口が違うとジョイントできない為、両端にこの２つの口のサイズのねじ込み口を設けることにより容易に２つのサイズをジョイント可能となる。
【発明の効果】
【０００９】
ペットボトルの持つ、水を貯水出来るということを十分に発揮できる物が出来る。
【００１０】
簡単に２つの種類のペットボトルもしくは、スチール缶をジョイントすることにより新しい意味を持った商品が簡単に出来る。
【００１１】
大きさの違う口でも簡単にジョイントできる。
【００１２】
ゴミとして出すペットボトルやスチール缶を減らすことにも微小ながら貢献することが出来る。
【００１３】
工夫次第で製品を買わずに代用商品を作ることが可能となる。
【発明を実施するための最良の形態】
【００１４】
以下、本発明の実施例について図面を参照して説明する。
【実施例１】
【００１５】
図１はジョイント具製品図である。
【００１６】
この製品の両端には、違う口に対応するためのそれぞれ違うねじ込み口がついている。
【００１７】
図２はこのジョイント具に対してペットボトルとスチール缶を実際にジョイントしてみた見取り図である。
【００１８】
図３・図４は活用商品例である。
【００１９】
図３は、ペットボトルに水を入れ、スチール缶に穴をあけた簡単ジョウロである。
【００２０】
図４はペットボトルに半分に切った大きいペットボトルをさかさまに取り付け、雨水貯水器を作制した図である。
【図面の簡単な説明】
【００２１】
【図１】ジョイント具製品図。
【図２】ジョイント具装着実装図。
【図３】本発明品活用品（ジョウロ）。
【図４】本発明品活用品（雨水貯水器）。
【符号の説明】
【００２２】
a.ペットボトル大
b.スチール缶
c.ペットボトル半分に切断したもの（口のついている部分）
d.水をかける為に開けた穴
e.大きい口用ジョイントネジ部分
f.小さい口用ジョイントネジ部分
【図１】
2007089436.tif 000003
【図２】
2007089436.tif 000004
【図３】
2007089436.tif 000005
【図４】
2007089436.tif 000006
(57)【要約】      （修正有）【課題】コイルにより効果的に発電を図る。【解決手段】空芯コイル１の中に磁石２のＮ極とＳ極を交互に断続的に通過させて発電する。【効果】鉄の吸着の負荷が取り除けるので、より大きな電力を発生できる。【選択図】  図１
2007089379.tif 000002
【特許請求の範囲】
【請求項１】
空芯コイルの中を磁石のＮ極とＳ極を交互に断続的に通過させて発電を図る。
【請求項２】
空芯コイルを円型、若しくは並列に置き、その中心に磁石を通し発電する。
【請求項３】
空芯コイルの中心にプラスチック等の磁気の吸着性の無い物質に磁石を取り付け動力により数多くの空芯コイルの中を通過させる事により電力を発生させる。
【発明の詳細な説明】
【技術分野】
【０００１】  発電機の分野。
【背景技術】
【０００２】  既に我々が出願している特許の内容が背景技術です。
【発明の開示】
【発明が解決しようとする課題】
【０００３】  コイルにより効果的に発電を図る。
【課題を解決するための手段】
【０００４】  磁石を用い発電を図る場合の最大の負荷は鉄芯の吸着の部分です。
鉄芯を使用せずに磁石その物をコイルの中心を通過させる事により多くの電流が発生する。
【発明の効果】
【０００５】  発電の効果はコイルの量と磁石の強さに比例する事はファラデーの法則通りである、磁石の吸着の負荷が除去出来れば、その効果は法則道りになる。
【発明を実施するための最良の形態】
【０００６】  コイルの配列は円型でも縦列、横列でも如何様にも対応できる。
【産業上の利用可能性】
【０００７】  より大きく電力を発生出来て、鉄の吸着の負荷が取り除けるので、利用の可能性は大きい。
【図面の簡単な説明】
【０００８】
【図１】  本発明を使用した機械の上部からの図
【図２】  本発明の上部からの図
【符号の説明】
【０００９】  １．  空芯コイル
２．  磁石
３．  回転体
【図１】
2007089379.tif 000003
【図２】
2007089379.tif 000004
(57)【要約】【課題】  自然エネルギーの摂取は、その利用効率の低さが普及を妨げている。【解決手段】  弱いエネルギーで電気を取り出せば、風力も磁力の発電も容易になる。小型分散型電源の普及には磁力の負荷の部分をより除くことに尽きる。【選択図】  図１
2007089380.tif 000002
【特許請求の範囲】
【請求項１】
珪素鋼板のＥ型コアの磁石が吸着する部分を減らして空気による磁気と磁界による相互インダクダンスを利用する。
【請求項２】
空芯コイルの鉄芯を、ステンレスを用いる事により、磁石の吸着を取り除くと共に、ステンレスの通磁性を利用して磁石の吸着の弱い部分から通磁性の良い珪素鋼板ないし合金を用いて電流の発生を図る。
【発明の詳細な説明】
【技術分野】
【０００１】  発電機は従来から出力の増大のみを図ってきたが、風力発電とか磁力発電などの弱い自然エネルギーを利用する場合、負荷の多い磁力の吸着を取り除けば、元々ファラデーの法則通り空気による磁界の通磁性のみでも発電するので、それに回転による磁界の拡がりとで、出力を落とさないで入力の電力を減少させる事が出来る。
【背景技術】
【０００２】  既に我々が特許申請中の
特願２００３−４０２２５６
特願２００４−１５６８８５
特願２００４−１９８６４０
特願２００４−３７０１７６
特願２００５−１３２９９３
ＰＣＴ／ＪＰ０３１５９９８
を背景技術とし開発いたしました。
【発明の開示】
【発明が解決しようとする課題】
【０００３】  発電機を、自然エネルギーを利用して回転させるのには、かなりの強いエネルギーを必要とする。風車で言えば１０ｍ〜１２ｍの風が必要となる。
そのため３ｍ〜５ｍの風で風車を回転させても、発電機を稼動させる事が出来ない。
その理由は発電機の負荷が強すぎる為です。
【課題を解決するための手段】
【０００４】  出力が弱いエネルギーでも入力が自然エネルギーならば出力が全て十になる。
発電機に磁石の負荷がなければ、どんな弱い風でも発電機を稼動させる事が可能になる。もしより以上の出力を望むならば、磁石を強力な物にすれば磁石は吸着するものが存在しなければ、ただの重さだけの負荷しかないので発電は増大する。
【発明の効果】
【０００５】  従来の発電機は出力の増大を図る余り、自分を動かす為に出力の半分を消費ずる。
従って磁石の吸着を取り除けば、無負荷運転と同じ入力で回転体が起動する。
軽く廻ると言う事は、弱いエネルギーで強い磁石がコイルに磁界を送る事になり、負荷がないので出力は保持出来る。
【発明を実施するための最良の形態】
【０００６】  磁石がコイルの前面を通過する様な形態の発電機を作り、空芯コイルのＥ型コアに差し込む鉄芯の部分を除去すると吸着はしないで磁界は届くので発電する。
その上、相互インダクダンスも確保出来る。
【産業上の利用可能性】
【０００７】  入力が少なければ当然、出力も減少するが、弱いエネルギーで電気を取り出せば利用は拡がる。
【図面の簡単な説明】
【０００８】
【図１】請求項１においての本発明を使用している機械の上部からの全体図です。
【図２】請求項１においての本発明のコイルを巻いた状態の展開図です。
【図３】請求項２においての本発明を使用している機械の上部からの全体図です。
【図４】請求項２においての本発明のコイルを巻いている状態の展開図です。
【符号の説明】
【０００９】１．  請求項１でしめした珪素鋼板のＥ型コアである。
２．  空芯コイル
３．  磁石
４．  フライホイール
５．  機械の壁面及び請求項２においてのＥ型の場合のステンレス
６．  鉄
【図１】
2007089380.tif 000003
【図２】
2007089380.tif 000004
【図３】
2007089380.tif 000005
【図４】
2007089380.tif 000006
(57)【要約】      （修正有）【課題】ラベルを製品等に手で貼り付ける作業において、位置合わせが容易におこなえるラベルを提供する。【解決手段】ラベル台紙１にラベル２の外形より、やや小さめの切り抜き窓３が出来るように切り込みを設ける。この切り込みを設けたラベル台紙の上にラベルの外周が枠に対して上下左右偏りなくカバーするようにラベルを貼り付ける。【選択図】図１
2007304176.tif 000002
【特許請求の範囲】
【請求項１】
ラベル（2）を貼り付けるラベル台紙（1）にラベル（2）の外形よりもやや小さめの形
をした枠（3）に沿って断続的に切り込みを設けたラベル台紙。
【発明の詳細な説明】
【技術分野】
【０００１】
この発明はラベルを手で貼り付ける場合、歪みなく容易に貼り付けることを目的とした
ラベル台紙に関するものである。
【背景技術】
【０００２】
従来、機械でラベルを自動的に貼り付ける場合を除いて、一般的にはラベルをラベル台
紙から剥ぎ取り、これを手で貼り付けていた。しかしこの方法はラベルが小さいと歪みな
く貼ることが難しい。貼られたラベル一枚だけを見れば歪んでいるのが解らないが数枚が
一列に並ぶとよく解る。例えば横長の四角いラベルが、わずかに歪んで貼り付けられてい
る場合、ラベルの横方向の一辺を製品の貼り付け面の横軸に合わせて貼り付けたつもりで
も、この一辺を延長して行けば製品の横軸に対してずれて行くのがよく解る。この事から
小さいラベルで合わすより、より大きい物で合わせた方が歪みを少なくできる。そこで本
発明はラベル台紙で合わすようにすれば、ラベル台紙に貼られているラベルも、おのずと
歪みを少なくできると考え、発明に至ったものである。
【発明の開示】
【発明が解決しようとする課題】
【０００３】
背景技術で説明した事に加えて、ラベル台紙から剥がしたラベルを貼る際、ラベルを貼
り付け部に接近させると、ラベルの粘着面が貼り付け部に不用意に接着し歪んだ状態で接
着してしまう事があった。又、薄くて細長いラベルの場合、ラベル台紙からラベルを剥が
した時、粘着面同士が接着してしまったり、しわができる事があった。
【課題を解決するための手段】
【０００４】
ラベル台紙（1）にラベル（2）の外形よりやや小さめの形をした枠（3）を設定し、こ
の枠（3）に沿って断続的な切り込みを設ける。この切り込みを設けたラベル台紙（1）の
上にラベル（2）の外周が枠（3）に対して上下左右偏りなくカバーするようにラベルを貼
り付ける。
【発明の効果】
【０００５】
ラベルは製品の表示や説明等いろいろな目的に使用されているが、いずれも人の目に止
まる事が必要である。そのラベルの貼り方が歪んでいたりすると、唯そのことだけで、そ
の製品全体の技術力が疑われイメージダウンになってしまう。機械でラベルを貼る大量生
産を除いて、少量生産の製品は手先でラベルを歪みなく貼らなければならない事が多い。
この発明はこの問題を解消し製品のイメージダウンを救ってくれる効果がある。
【実施例】
【０００６】
先ずラベル台紙（1）の裏側から、切り込みのある枠（3）をはぎとる。すると切り抜き
窓ができ、ラベル（2）の粘着面が現れる。ラベル台紙（1）を貼り付け面に対してゆがみ
なく正しくあてがってからラベル（2）を貼り付け面に押し当てて接着する。しかる後ラ
ベル台紙（1）をラベル（2）から抜き取るように取り去る。ラベル台紙にはいろいろな種
類があり、図2のようなテープ状のものはテープ状台紙を貼り付け面に対して歪みなく正
しく当てれば、おのずとラペルも歪みなく貼り付けることができる。又、図3のような一
枚のラベル台紙に複数のラベルが貼り付けられている場合は、ラベル台紙に碁盤の目の模
様を付けておけば、製品の縦、横軸に合わせ易く本発明の効果が十分に発揮できる。
【図面の簡単な説明】
【０００７】
【図１】ラベル台紙の裏側から見た透視図で点線はラベルの外周を示す。    1  ラベル台紙  2  ラベル  3  枠、枠の実線は切り込みを示す
【図２】ラベル台紙がテープ状のものを示す
【図３】複数のラベルを貼り付けた一枚のラベル台紙で、碁盤の目模様を設けたもの
【図１】
2007304176.tif 000003
【図２】
2007304176.tif 000004
【図３】
2007304176.tif 000005
【手続補正書】
【提出日】平成19年5月16日(2007.5.16)
【手続補正１】
【補正対象書類名】特許請求の範囲
【補正対象項目名】請求項１
【補正方法】変更
【補正の内容】
【請求項１】
ラベル（２）を貼り付けるラベル台紙（１）にラベル（２）の外形よりもやや小さめの形をした枠（３）に沿って切り込みを設けたラベル台紙
(57)【要約】      （修正有）【課題】市販されている従来の測量用ポール十字固定具は、硬質樹脂製でポール装着部がはめ込み式となっているため、着脱、スライドがし難く利用上不都合である。着脱、スライドが容易な測量用ポール十字固定具を得る。【解決手段】十字固定具のポール装着部にクリップ型を採用することにより、ワンタッチで着脱、スライドができるようにした。【選択図】図８
2007304077.tif 000002
【特許請求の範囲】
測量用ポールの着脱部を事務用クリップ型にしたことを特徴とするポール十字固定具
【発明の詳細な説明】
【技術分野】
【０００１】  本発明は、測量用ポールの十字固定具に関するものであり、ポールの着脱部に工夫を加えることによって、ポールが容易に着脱できるようにしたものである。
【背景技術】
【０００２】  従来から、測量用ポールの十字固定具として、硬質樹脂製のものが市販されている。
【発明の開示】
【発明が解決しようとする課題】
【０００３】  しかし、市販されている硬質樹脂製の十字固定具では、ポールの着脱部となる凹形の受け口が硬く着脱が容易でないうえに、微調整のスライドもままならず非常に不便である。本発明は、このような着脱、スライドがし難く手間のかかる不都合を解決することを課題とする。
【課題を解決するための手段】
【０００４】  この課題を解決するための請求項の発明は、ポールの着脱部に事務用クリップ型を採用したことを特徴とする。クリップ式でポールを固定するため、ワンタッチでポールが着脱、スライドできる。
【発明の効果】
【０００５】  本発明により、測量用ポールの着脱、スライドが容易にできるため、測量作業の大幅なスピードアップが期待できる。
【発明を実施するための最良の形態】
【０００６】  図７はクリップ型を特徴とする着脱部にポールを装着した状態で、図８は固定具の二つのクリップを９０度の角度となるように回転させ十字形にした状態のものである。両図に示すように、クリップ部分をつまめば容易にポールを着脱、スライドすることができる。【０００７】  この十字固定具の材料は、通常の事務用大型クリップのものでよいが、鉄板厚は１ミリメートル以上で、スプリングも少し強力にする必要がある。
【産業上の利用可能性】
【０００８】  本発明によるポール十字固定具は工業的に量産することが可能であるため、産業上の利用可能性を有する。
【図面の簡単な説明】
【０００９】
【図１】クリップ型ポール固定具の側面図であり、二つのクリップの接合部を中心にして左右対称形となっている。
【図２】クリップ型固定具の固定側のクリップを背面からみた図である。
【図３】クリップ型固定具の可動側のクリップ正面を上から見た図である。
【図４】クリップ型固定具の中心部の断面図である。
【図５】クリップ型固定具の中間部ポール受けのある位置の断面図である。
【図６】クリップ型固定具のクリップ端部の断面図である。
【図７】クリップ型固定具にポールを装着した側面図である。
【図８】クリップ型固定国ポールを装着し、二つのクリップを９０度になるように回転させた状態の側面図である。
【図９】市販されている硬質樹脂製のポール固定具（その１）の側面図である。
【図１０】市販されている硬質樹脂製のポール固定具（その１）の横正面図である。
【図１１】市販されている硬質樹脂製のボール固定具（その１）にポールを装着し、そのポールが９０度に交差するように回転させた状態の側面図である。
【図１２】市販されている硬質樹脂製のポール固定具（その２）の側面図である。
【図１３】市販されている硬質樹脂製のポール固定具（その２）の横正面図である。
【図１４】市販されている硬質樹脂製のポール固定具（その２）にポールを装着し、そのポールが９０度に交差するように回転させた状態の側面図である。
【符号の説明】
【０００９】  １    クリップ部の固定側（接合面で左右対称形となっている反対部分の符号は省略）
２    クリップ部の可動側（同上）
３    クリップ端部のポール受け（同上）
４    二つのクリップが結合する部分の回転軸
５    ポールを固定するクリップ軸
６    クリップ中間部のポール受け打ち抜き穴
７    クリップ中間部のポール受け（前出反対部分の符号は省略）
８    ポールを固定するクリップのスプリング（同上）
９    市販されている硬質樹脂製固定具（その１）（前出反対部分の符号は省略）
１０    市販されている硬質樹脂製固定具（その１）の回転軸
１１    市販されている硬質樹脂製固定具（その２）（前出反対部分の符号は省略）
１２    市販されている硬質樹脂製固定具（その２）の回転軸
１３    測量用ポール
【図１】
2007304077.tif 000003
【図２】
2007304077.tif 000004
【図３】
2007304077.tif 000005
【図４】
2007304077.tif 000006
【図５】
2007304077.tif 000007
【図６】
2007304077.tif 000008
【図７】
2007304077.tif 000009
【図８】
2007304077.tif 000010
【図９】
2007304077.tif 000011
【図１０】
2007304077.tif 000012
【図１１】
2007304077.tif 000013
【図１２】
2007304077.tif 000014
【図１３】
2007304077.tif 000015
【図１４】
2007304077.tif 000016
(57)【要約】【課題】解剖学を学ぶ学習者が、筋肉の作用の理解度を高める教材道具である。そのために、既存の骨関節全身模型で関節の動きを分かりやすく作ることが目的である。【解決手段】筋肉の代用として紐を用いて、既存の骨関節全身模型に紐に取り付けてある２つの固形粘着剤で固定し、紐を引くことで筋肉の作用が容易に理解できる。【選択図】図１
2007304532.tif 000002
【特許請求の範囲】
【請求項１】
紐（１）の先端に、固形粘着剤を取り付け（２）、紐（１）を自由に移動できるよう固形粘着剤にリングを取り付けた（３）、解剖学の教材道具。
【発明の詳細な説明】
【発明の詳細な説明】
【技術分野】
【０００１】  この発明は、紐の２箇所に固形粘着剤を取り付け、解剖学で学ぶ筋肉の作用について理解を深める教材道具である。
【背景技術】
【０００２】  従来の解剖学で筋肉の作用について学ぶことは、既存の骨関節全身模型を用いて、筋肉の起始部と停止部を確認し、学習者自ら骨関節全身模型の関節を筋肉の作用に応じて動かしていたが理解できず、解剖学に対して興味や関心が薄れる結果となっていた。
【発明が解決しようとしている課題】
【０００３】  本発明は、その欠点をなくすために、筋肉の起始と停止を固定させた上で、紐を引き筋肉の作用を骨関節全身模型の関節の動きが作れ、学習者の理解が深まることを課題にして研究をすすめた。
【課題を解決するための手段】
【０００４】  筋肉の作用を骨関節全身模型で再現するために、より骨格筋に近くなるよう紐を用いた。筋肉の作用は紐を引くことで関節の動きを生じさせる。さらに、各々の筋肉の長さが異なるため、紐を固定する１つを移動式とし、筋肉の作用が確認できることを発見した。
【発明を実施するための最良の形態】
【０００５】  本発明を実施するために、最初は骨関節全身模型の関節の作用する側を紐で固定し、その紐を引き筋肉の作用を再現していた。
筋肉が一つの関節にまたがる場合は、この方法でもよい。しかし、二関節にまたがるような筋肉では作用を再現するには困難であった。
本発明は、上記のような問題を解決するために、筋肉の長さを調節し、二関節にまたがる長い筋肉でも作用が確認できるように工夫した。また、様々な筋肉に対応できるように、固定部分を取り外し可能な固形粘着剤を用いた。
【発明の効果】
【０００６】    本発明は以上のような構成だから、筋肉の長さが違うものでも十分対応でき、複雑な筋肉の作用が容易に確認できた。更に、学習者の興味や関心が高まり、理解力を深めることが可能である。
【図面の簡単な説明】
【図１】本発明の側面図
【図２】骨関節全身模型に取り付けた本発明の側面図
【符号の説明】
（１）紐  （２）固形粘着剤  （３）リングを取り付けた固形粘着剤
【図１】
2007304532.tif 000003
【図２】
2007304532.tif 000004